(57)【要約】【課題】煩雑な操作を行うことなく、画面内に追加する画像の合成位置を容易に入力すること。【解決手段】予め準備されているスクリーン元画像Ｉを表示する大画面スクリーン１２に対する相対的な位置を移動させて該大画面スクリーンに表示するポインタ画像ｉの位置を操作するタクト１４と、前記ポインタ画像の前記大画面スクリーン内への加入位置を決定して出力する画像合成ボックス１３と、前記大画面スクリーン側の少なくとも３箇所以上に配設されて前記タクトとの間の位置関係をそれぞれで検出する超音波受信器２１〜２３とを備えており、前記画像合成ボックスは、前記超音波受信器からの検出情報に基づいて前記タクトの前記大画面スクリーンに対する相対的な位置や移動を導出して前記ポインタ画像の加入位置を決定する。【選択図】図１
2010204706.tif 000002
【特許請求の範囲】
【請求項１】
予め準備されている準備画像を表示する画面に対する相対的な位置を移動させて該画面に表示する加入画像の位置を操作する操作装置と、前記加入画像の前記画面内への加入位置を決定して出力する出力装置とを備えており、
該出力装置は、前記画面側の少なくとも３箇所以上に配設されて前記操作装置との間の位置関係をそれぞれで検出する検出手段と、該検出手段の３箇所以上からの検出情報に基づいて前記操作装置の前記画面に対する相対的な位置や移動を導出して前記加入画像の加入位置を決定する決定手段とを有することを特徴とする画像入力装置。
【請求項２】
前記操作装置は、超音波発信器を搭載する一方、
前記出力装置は、前記操作装置の前記超音波発信器からの超音波をそれぞれの配設箇所で受信して該操作装置との間の位置関係を該超音波の到達時間遅れで検出する前記検出手段を備えて、前記決定手段が当該超音波の到達時間遅れに基づいて前記画面に対する前記操作装置の相対的な位置や移動を導出して前記加入画像の加入位置を決定することを特徴とする請求項１記載の画像入力装置。
【請求項３】
前記操作装置は、前記画面に対する相対的な位置を移動させる際の加速度を検出する加速度センサを搭載する一方、
前記出力装置は、前記操作装置の前記加速度センサからの該操作装置の加速度情報を受け取る受信手段を備えて、前記決定手段が当該加速度情報に基づいて前記画面に対する前記操作装置の相対的な所望の移動量を導出して前記加入画像の加入位置を決定することを特徴とする請求項１又は２記載の画像入力装置。
【請求項４】
前記操作装置は、利用者が把持して前記画面に対する相対的な位置を指示しつつ移動可能に棒状に外形が形成されていることを特徴とする請求項１、２又は３記載の画像入力装置。
【請求項５】
前記操作装置は、前記加入画像の種別を選択する選択操作手段を備える一方、
前記出力装置は、前記操作装置の前記選択操作手段の選択情報を受け取る受信手段を備えて、該選択情報に基づいて前記加入位置に加入する前記加入画像を出力することを特徴とする請求項１乃至４の何れか１に記載の画像入力装置。
【請求項６】
前記操作装置は、前記加入画像として線画像の連続加入を指示する指示操作手段を備える一方、
前記出力装置は、前記操作装置の前記指示操作手段の指示情報を受け取る受信手段を備えて、該指示情報に基づいて前記線画像を加入するか否かを判別して出力することを特徴とする請求項５記載の画像入力装置。
【請求項７】
前記操作装置は、前記画面に対する姿勢を決定する姿勢決定手段を備える一方、
前記出力装置は、前記操作装置の前記姿勢決定手段の姿勢情報を受け取る受信手段を備えて、該姿勢情報に基づいて前記操作装置の前記画面に対する相対的移動面を判別して該操作装置の相対的な位置や移動を導出することを特徴とする請求項１乃至６の何れか１に記載の画像入力装置。
【請求項８】
予め準備されている準備画像を画面に表示する画像表示装置と、前記画面に対する相対的な位置を移動させて該画面に表示する加入画像の位置を操作する操作装置とを備えており、
前記画像表示装置は、前記加入画像の前記画面内への加入位置を決定して出力する出力部と、前記加入画像を前記準備画像に合成する合成部とを有して、
前記出力部は、前記画面側の少なくとも３箇所以上に配設されて前記操作装置との間の位置関係をそれぞれで検出する検出手段と、該検出手段の３箇所以上からの検出情報に基づいて前記操作装置の前記画面に対する相対的な位置や移動を導出して前記加入画像の加入位置を決定する決定手段とを有することを特徴とする画像表示システム。
【請求項９】
前記操作装置は、超音波発信器を搭載する一方、
前記画像表示装置の前記出力部は、前記操作装置の前記超音波発信器からの超音波をそれぞれの配設箇所で受信して該操作装置との間の位置関係を該超音波の到達時間遅れで検出する前記検出手段を備えて、前記決定手段が当該超音波の到達時間遅れに基づいて前記画面に対する前記操作装置の相対的な位置や移動を導出して前記加入画像の加入位置を決定することを特徴とする請求項８記載の画像表示システム。
【請求項１０】
前記操作装置は、前記画面に対する相対的な位置を移動させる際の加速度を検出する加速度センサを搭載する一方、
前記画像表示装置の前記出力部は、前記操作装置の前記加速度センサからの該操作装置の加速度情報を受け取る受信手段を備えて、前記決定手段が該加速度情報に基づいて前記画面に対する前記操作装置の相対的な所望の移動量を導出して前記加入画像の加入位置を決定することを特徴とする請求項８又は９記載の画像表示システム。
【請求項１１】
前記操作装置は、利用者が把持して前記画面に対する相対的な位置を指示しつつ移動可能に棒状に外形が形成されていることを特徴とする請求項８、９又は１０記載の画像表示システム。
【請求項１２】
前記操作装置は、前記加入画像の種別を選択する選択操作手段を備える一方、
前記画像表示装置の前記出力部は、前記操作装置の前記選択操作手段の選択情報を受け取る受信手段を備えて、該選択情報に基づいて前記加入位置に加入する前記加入画像を出力することを特徴とする請求項８乃至１１の何れか１に記載の画像表示システム。
【請求項１３】
前記操作装置は、前記加入画像として線画像の連続加入を指示する指示操作手段を備える一方、
前記画像表示装置の前記出力部は、前記操作装置の前記指示操作手段の指示情報を受け取る受信手段を備えて、該指示情報に基づいて前記線画像を加入するか否かを判別して出力することを特徴とする請求項１２記載の画像表示システム。
【請求項１４】
前記操作装置は、前記画面に対する姿勢を決定する姿勢決定手段を備える一方、
前記出力装置は、前記操作装置の前記姿勢決定手段の姿勢情報を受け取る受信手段を備えて、該姿勢情報に基づいて前記操作装置の前記画面に対する相対的移動面を判別して該操作装置の相対的な位置や移動を導出することを特徴とする請求項８乃至１３の何れか１に記載の画像表示システム。
【発明の詳細な説明】
【技術分野】
【０００１】
この発明は、画像入力装置及び画像表示システムに係り、詳しくは、煩雑な操作を行うことなく、画面内に表示する画像の合成位置を容易に入力することのできる画像入力装置及び画像表示システムに関する。
【背景技術】
【０００２】
講演などでは、大きなスクリーン画面上に表示する静止画像や動画像における説明箇所を、例えば、レーザーポインタで指し示すことが行われている。特許文献１、２では、画面上のレーザポインタの照射位置を検出して、画面に表示する画像に矢印画像を合成して表示することを可能にしている。
【０００３】
特許文献３、４では、使用開始時にリストバンドやポインティングデバイスで画面の４隅などを指し示して基準登録をした後に、その画面に対するリストバンドやポインティングデバイスの相対位置を検知することで、画面内に表示するマーカやカーソル画像を移動させている。特に、特許文献３では、基準位置に向けたときのリストバンドの姿勢を基準にして画面内のいずれに向けているかを検知するようになっており、利用者が前後方向に移動したときに補正することや、マーカ線を引くことも提案されている。また、特許文献４では、ポインティングデバイスの指示方向が画面の４隅から移動させる際の加速度でカーソル画像を移動させたい移動距離や方向を得るようになっている。
【０００４】
特許文献５では、リモコンの使用開始時の傾きを基準にして、そのリモコンの傾きの変化を加速度として検知することで、画面内に表示するポインタ画像を移動させると共に、その軌跡画像を表示させている。この特許文献５では、パーソナルコンピュータに接続するマウスのように、クリック操作もできるようにすることが提案されている。
【先行技術文献】
【特許文献】
【０００５】
【特許文献１】特開平０４−３７１０６３号公報
【特許文献２】特開２００２−２４４８１３号公報
【特許文献３】特開２００３−０４４２２１号公報
【特許文献４】特開２００４−３１０５２７号公報
【特許文献５】特開２００７−２４８７１０号公報
【発明の概要】
【発明が解決しようとする課題】
【０００６】
しかしながら、特許文献１、２に記載のレーザポインタにあっては、リア投影型の大画面スクリーンでは、レーザ光を透過してしまい、照射位置を検出することはできず、矢印画像などを表示・移動させることができない。また、このレーザポインタでは、リア投影型の大画面スクリーン以外で使用する場合でも、その照射位置を検出するだけなので、絵や文字などを画面内に追加して表示させることができない。
【０００７】
また、特許文献３、４に記載のデバイスにあっては、使用開始時に基準登録をしなければならないことから、使用方法が煩雑で慣れないと快適に使用することができない。特許文献５にあっては、リモコンの傾きの変化でポインタ画像の移動を操作するので、慣れないと快適に使用することができない。このことから、これらでは、利用者の意図する画像を最適状態に表示することが難しい。
【０００８】
ところで、パーソナルコンピュータから出力する画像であれば、近年開発された空中で利用可能な、所謂、空間マウスを利用してポインタ画像を表示することができるが、それ以外のＴＶ・ＶＴＲ・書画カメラ等の画像上にポインタ画像などを表示することはできない。また、パーソナルコンピュータであれば、卓上タブレットを接続すれば、画面内に自由に絵や文字などの画像を追加することができるが、同様に、パーソナルコンピュータの出力する画像に限られてしまい、また、その卓上タブレットを設置して利用可能な場所に限られてしまう。
【０００９】
この発明は、上述の事情に鑑みてなされたもので、煩雑な操作を行うことなく、画面内に追加する画像の合成位置を容易に入力することのできる画像入力装置及び画像表示システムを提供することを目的としている。
【課題を解決するための手段】
【００１０】
上記課題を解決するために、この発明の構成は、予め準備されている準備画像を表示する画面に対する相対的な位置を移動させて該画面に表示する加入画像の位置を操作する操作装置と、前記加入画像の前記画面内への加入位置を決定して出力する出力装置とを備えており、該出力装置は、前記画面側の少なくとも３箇所以上に配設されて前記操作装置との間の位置関係をそれぞれで検出する検出手段と、該検出手段の３箇所以上からの検出情報に基づいて前記操作装置の前記画面に対する相対的な位置や移動を導出して前記加入画像の加入位置を決定する決定手段とを有することを特徴としている。
【発明の効果】
【００１１】
この発明の構成によれば、操作装置を画面に向けて移動させるだけで、その操作装置の画面に対する相対的位置の変化を画面側の３箇所から検出して、その画面に対する位置や移動を導出することができ、画面に表示する準備画像内への加入画像の加入位置を決定することができる。したがって、操作装置を任意に動かすだけで、基準を登録するなどの作業を行うことなく、画面に対する相対位置をその画面側の３箇所からそのまま決定することができる。この結果、画面の種別に関係なく、また、画面に表示する画像や場所が限定されることなく、画面に表示する準備画像内の所望の位置に加入画像を入力・合成して表示することを実現することができる。
【図面の簡単な説明】
【００１２】
【図１】この発明の一実施形態である空間タブレットを利用する画像表示システムの概略構成を示す概念斜視図である。
【図２】同画像表示システムの機能系統を示すブロック図である。
【図３】同空間タブレットの要部装置を示す平面図である。
【図４】同空間タブレットの要部装置の使用を説明する斜視図である。
【発明を実施するための形態】
【００１３】
予め準備されている準備画像を表示する画面に対する相対的な位置を移動させて該画面に表示する加入画像の位置を操作する操作装置と、前記加入画像の前記画面内への加入位置を決定して出力する出力装置とを備えており、前記操作装置は、超音波発信器を搭載する一方、前記出力装置は、前記画面側の少なくとも３箇所以上に配設されて前記操作装置の前記超音波発信器からの超音波をそれぞれの配設箇所で受信して該操作装置との間の位置関係を該超音波の到達時間遅れで検出する検出手段と、該検出手段の３箇所以上からの検出情報（超音波の到達時間遅れ情報）に基づいて前記操作装置の前記画面に対する相対的な位置や移動を導出して前記加入画像の加入位置を決定する決定手段とを有している。
【実施形態】
【００１４】
以下、図面を参照して、この発明の一実施形態について詳細に説明する。
図１は、この発明の一実施形態である空間タブレットを利用する画像表示システムの概略構成を示す概念斜視図、図２は、同画像表示システムの機能系統を示すブロック図、図３は、同空間タブレットの要部装置を示す平面図、図４は、同空間タブレットの要部装置の使用を説明する斜視図である。
【００１５】
この実施形態の画像表示システムは、図１及び図２に示すように、予め準備されているスクリーン元画像Ｉの信号を外部装置からケーブルＣを介して受け取って映像化して投影するプロジェクタ１１と、プロジェクタ１１から光映像を背面側に投影されて正面側に正常な映像として表示するリア投影用の大画面スクリーン１２と、プロジェクタ１１の上流側に位置するようにケーブルＣに接続して大画面スクリーン１２に表示する矢印形状のポインタ画像ｉをスクリーン元画像Ｉに合成してプロジェクタ１１に出力する画像合成ボックス１３と、画像合成ボックス１３に受け渡すポインタ画像ｉの大画面スクリーン１２内での表示位置を操作するタクト（指揮棒）１４とを備えて構築されている。このため、画像表示システムは、例えば、プロジェクタ１１からプレゼンテーション用のスクリーン元画像Ｉを大画面スクリーン１２に表示しつつ、そのスクリーン元画像Ｉに合成するポインタ画像ｉの位置をタクト１４で操作することのできるプレゼンテーションシステムとしても利用することができる。
【００１６】
大画面スクリーン１２には、４隅のうちの３隅に、所定の超音波信号を受信するように設定されている超音波受信器２１〜２３が配設される一方、タクト１４には、その超音波受信器２１〜２３に受信させる超音波信号を放出（出力）して位置センサ３１を構成する超音波発信器が内蔵されている。大画面スクリーン１２の超音波受信器２１〜２３は、タクト１４の位置センサ３１から放出される超音波信号をそれぞれで受信して画像合成ボックス１３に出力する。
【００１７】
画像合成ボックス１３は、画像処理用プロセッサを備えて、予めメモリ内に格納されているプログラムに従う各種画像処理部として機能するようになっており、外部装置からのスクリーン元画像Ｉの画像信号をプロジェクタ１１に中継すると共に、タクト１４の利用時には、予めメモリ内に準備されているポインタ画像ｉをそのスクリーン元画像Ｉに合成してプロジェクタ１１に出力する。
【００１８】
具体的には、画像合成ボックス１３は、位置センサ３１からの超音波信号の放出から超音波受信器２１〜２３毎の受信までの到達時間遅れに基づいて大画面スクリーン１２に対する相対位置を算出（検出）してタクト１４の位置や動作を検出する検出機能部４１と、検出機能部４１の検出情報に基づいて大画面スクリーン１２内にポインタ画像ｉを追加する位置を決定しそのポインタ画像ｉを２次元展開（マッピング）するマッピング機能部４２と、マッピング機能部４２が２次元展開したポインタ画像ｉを外部装置からのスクリーン元画像Ｉに合成する画面合成機能部４３とを備えている。そして、マッピング機能部４２は、タクト１４の電源投入時における大画面スクリーン１２に対する相対位置に基づいて、利用者がその大画面スクリーン１２に向いてタクト１４でセンタを指し示しているものとして、大画面スクリーン１２内に追加するポインタ画像ｉを２次元展開する。要するに、マッピング機能部４２は、タクト１４が電源投入時にセンタを指し示す移動範囲を仮想画面１２ａとして設定するようになっており、その仮想画面１２ａ内におけるタクト１４の位置を大画面スクリーン１２内のスクリーン元画像Ｉに対応させてポインタ画像ｉを追加する位置を決定して２次元展開する。
【００１９】
したがって、利用者が把持するタクト１４の大画面スクリーン１２に対する相対的な位置を画像合成ボックス１３で検出して、スクリーン元画像Ｉ内の検出位置にポインタ画像ｉを合成することができ、そのタクト１４の移動に追随してポインタ画像ｉも移動させることができる。このとき、利用者は、大画面スクリーン１２に正対することなく、また、その大画面スクリーン１２の前面に立つ場合と同様にタクト１４を大きく移動させることなく、仮想画面１２ａ内でタクト１４を移動させるだけで、スクリーン元画像Ｉ内のタクト１４で指し示す箇所にポインタ画像ｉを合成表示することができる。すなわち、そのタクト１４は、所謂、ポインタとして利用することができる。また、利用者は、タクト１４の操作（移動）に応じて大画面スクリーン１２内で移動するポインタ画像ｉの移動量をフィードバックしてそのタクト１４を操作することで、所望の位置にポインタ画像ｉを容易に表示させることができる。
【００２０】
タクト１４は、超音波発信器の位置センサ３１の他に、変位速度を検出する加速度センサ３２も内蔵しており、送信部３５が、例えば、検出した加速度情報を赤外線信号として放出する。一方、大画面スクリーン１２側には、右下の超音波受信器２３に不図示の赤外線受信器（受信手段）が併設されており、その赤外線受信器がタクト１４からの加速度情報を受信して画像合成ボックス１３に出力する。
【００２１】
画像合成ボックス１３は、検出機能部４１がタクト１４を操作（移動）する際の加速度に応じてその移動量を調整するようになっており、例えば、予め複数の閾値を設定しておき、超える閾値に応じて移動量を調整する。その検出機能部４１は、例えば、最小の閾値よりも小さな加速度での移動の場合には、タクト１４の相対位置（検出位置）のままとしてポインタ画像ｉを移動させる一方、閾値よりも大きな加速度での移動の場合には、超えた閾値に応じてタクト１４の相対位置の移動量をｎ倍にする。
【００２２】
したがって、利用者は把持するタクト１４の大画面スクリーン１２に対する相対的な位置を変位させる際の移動速度（加速度）に応じて迅速にポインタ画像ｉを移動させてスクリーン元画像Ｉに合成することができ、小さな動きでポインタ画像ｉを大きく移動させることができる。ここで、加速度センサ３２の加速度情報は、赤外線信号として送受信する場合を一例に説明するが、これに限らず、送信部３５が加速度センサ３２の加速度情報などの各種情報と超音波信号とを重畳して送出するようにしてもよい。
【００２３】
また、タクト１４は、図３に示すように、太目のペンシル型（棒状）に外形を形成されており、先端側に信号を大きく減衰させることなく透過するカバー５１が取り付けられる一方、後端側にオン・オフする電源スイッチ５２が配設されている。このことから、タクト１４は、電源スイッチ５２でオンされた後に、カバー５１側から超音波信号や赤外線信号を放出するようになっており、把持した状態でそのカバー５１を大画面スクリーン１２側に向けて相対的位置を変位させるなどの操作をするようになっている。
【００２４】
このタクト１４は、操作部３３として、後端側に選択リング５３が周方向に回転自在に取り付けられており、選択リング５３を周方向に正逆回転させることで、上述のように、所謂、ポインタとして使用するか、あるいは、後述する文字画像の入力をするか、利用方法を選択することができるようになっている。選択リング５３は、タクト１４をポインタとして使用する場合には、選択マーク５３ｍを本体側のポインタ利用マーク１４ｐに合わせる一方、文字画像の入力を行なう場合には、その選択マーク５３ｍを本体側の文字入力マーク１４ｃに合わせることで利用方法を選択することができる。
【００２５】
また、このタクト１４は、操作部３３として、選択リング５３に隣接する後端側に、調整リング５４が同様に周方向に回転自在に取り付けられており、中間部の外周面には、楕円形に突出する書込（ドロー）ボタン５５と、方形に突出する消去（クリア）ボタン５６とが長さ方向に並列されている。このタクト１４の送信部３５は、選択リング５３、調整リング５４、書込ボタン５５、消去ボタン５６の操作情報を赤外線信号として放出して、上記の加速度情報と同様に、不図示の赤外線受信器が画像合成ボックス１３に出力する。ここで、調整リング５４は、周方向に正逆回転させることで、後述するように、ポインタとしての使用時に実線を書き込む、所謂、マーカとして利用する際に、本体側のラインマーク１４ｍを太マーク５４ｂと細マーク５４ｎの間のいずれに位置させるかでその実線の太さをボリューム調整するようになっている。
【００２６】
一方、画像合成ボックス１３は、検出機能部４１と、マッピング機能部４２と、画面合成機能部４３との他に、操作部３３から入力操作された操作情報を受け取る情報受信部４４と、その操作情報を電源スイッチ５２のオン時や操作部３３の操作時に受信して選択リング５３の選択情報に応じてポインタ又は文字入力のいずれの使用であるかを判別する判別情報と共に操作部３３の書込ボタン５５や消去ボタン５６の入力情報をマッピング機能部４２に受け渡す使用判別部４５とを備えている。
【００２７】
使用判別部４５は、タクト１４がポインタとしての使用と判別したときには、上述のようにスクリーン元画像Ｉ内にポインタ画像ｉを２次元展開するようにマッピング機能部４２に受け渡す。また、使用判別部４５は、同時に、そのポインタでの使用時に書込ボタン５５が押下入力される際には、その入力期間中にも書込情報をマッピング機能部４２に受け渡す一方、消去ボタン５６が押下入力される際にも、その消去情報をマッピング機能部４２に受け渡す。
【００２８】
マッピング機能部４２は、タクト１４のポインタでの使用時には、書込ボタン５５を押下する書込情報を受け取る期間中に移動するポインタ画像ｉの先端箇所の移動軌跡を、調整リング５４で指定されている太さの実線（線画像）としてスクリーン元画像Ｉ内に２次元展開する。一方、マッピング機能部４２は、消去ボタン５６を押下する消去情報を受け取った際には、２次展開した実線を直近のものから、その押下回数だけ順次に消去したスクリーン元画像Ｉを２次元展開して画面合成機能部４３に受け渡す。
【００２９】
したがって、利用者は、ポインタ以外にも、タクト１４の書込ボタン５５と消去ボタン５６を適宜操作することで、そのスクリーン元画像Ｉ内に所望の太さの実線を任意に書き込む、所謂、マーカとしても利用することができ、例えば、特定箇所を繋げる実線や簡単な文字などの画像を追加することができる。
【００３０】
また、使用判別部４５は、タクト１４の利用が文字入力としての使用と判別したときにも、その判別情報と共に書込ボタン５５の押下や消去ボタン５６の押下の入力情報をマッピング機能部４２に受け渡す。
【００３１】
マッピング機能部４２は、文字入力の選択の際には、書込ボタン５５を押下しながらの移動軌跡を一時的に保持して、同一位置で書込ボタン５５が２回入力（ダブルクリック）されたときに、その移動軌跡から文字認識する文字認識機能部４２ａを搭載している。すなわち、マッピング機能部４２は、その認識した文字を調整リング５４で指定されている太さでスクリーン元画像Ｉ内の書込ボタン５５の押下開始箇所に２次元展開する一方、消去ボタン５６を押下する消去情報を受け取った際には、直近の文字から消去したスクリーン元画像Ｉを２次元展開して画面合成機能部４３に受け渡す。
【００３２】
したがって、利用者は、タクト１４をポインタやマーカとしてだけでなく、そのタクト１４の移動軌跡で、予め準備されているフォントの文字を任意の箇所に書き込むことができる。このため、利用者は、タクト１４を空中で操作するために、判別し辛い文字のままスクリーン元画像Ｉ内に文字を書き込まれてしまうことなく、後で利用可能な高品質な資料として利用可能な画像を作成することができ、あたかも、空間タブレットが存在するように利用することができる。
【００３３】
さらに、このタクト１４は、操作部３３として、不図示のジャイロ（姿勢決定手段）を搭載して姿勢を自動検知するようになっている。具体的には、タクト１４は、図４に示すように、先端のカバー５１を大画面スクリーン１２側に向けてポインタとして把持して操作するか、あるいは、そのカバー５１を下方に向けてペンとして把持して操作するかを検知して、送信部３５がその姿勢情報を赤外線信号として放出して、不図示の赤外線受信器が画像合成ボックス１３に出力する。
【００３４】
画像合成ボックス１３は、図４（ａ）に示すポインタ把持姿勢の場合には、仮想画面１２ａ内でのタクト１４の移動に基づいて上述の処理を実行する一方、図４（ｂ）に示すペン把持姿勢と同時に選択リング５３で文字入力が選択されている場合には、検出機能部４１が水平面内におけるタクト１４の相対移動を検出する。マッピング機能部４２は、その水平面内での書込ボタン５５を押下しながらのタクト１４の移動軌跡から文字認識機能部４２ａで文字認識してスクリーン元画像Ｉ内に２次元展開する。
【００３５】
したがって、利用者は、タクト１４をペンとして把持して文字入力することができ、タクト１４を空中の鉛直方向に移動させる操作よりも、容易に文字を書き込むことのできる姿勢で文字入力することができ、より確実な認識確率で所望の文字をスクリーン元画像Ｉ内に容易に書き込むことができる。
【００３６】
このように、この実施形態によれば、タクト１４を大画面スクリーン１２に向けて移動させるだけで、その相対的移動を３箇所の超音波受信器２１〜２３で受信して検出決定することができ、使用開始前に基準登録などの煩雑な操作を行なうことなく、そのまま使用を開始することができる。したがって、リア投影型の大画面スクリーン１２でも、パーソナルコンピュータなどで作成した画像や映像に限定されることなく、また、離れた位置からの容易な操作で、スクリーン元画像Ｉ内にポインタ画像ｉや実線画像や文字画像などを直接書き込む感覚で、任意に追加・合成して表示させることができる。この結果、大画面スクリーン１２を使用する戦略会議などでその大画面スクリーン１２内にポインタ画像ｉを表示しつつ説明することができると共に、適宜、画像を直接追加するなどして、快適にプレゼンテーション等を行なうことができる。
【００３７】
以上、この発明の一実施形態を図面を参照して詳述してきたが、具体的な構成はこの実施形態に限られるものではなく、この発明の要旨を逸脱しない範囲の設計の変更等があってもこの発明に含まれる。例えば、この発明は、超音波信号を利用する位置センサに限るものではなく、磁気センサを利用するシステムにも適用することができる。
【産業上の利用可能性】
【００３８】
この発明は、画像表示システムに限らず、画像表示装置に接続する画像入力装置にも広く適用することができる。また、プレゼンテーションに限らず、学校や公会堂などでの講義や講演等でもポインタやマーカなどとして利用することができ、警察署や消防署等での災害対策会議などでも地図情報を表示した上で現況被災範囲を手書きで書き込む感覚で利用することができ、迅速に協議することができる。
【符号の説明】
【００３９】
１１        プロジェクタ（画像表示装置の一部）
１２        大画面スクリーン（画面）
１２ａ        仮想画面
１３        画像合成ボックス（出力装置の一部、画像表示装置の出力部）
１４        タクト（操作装置）
２１〜２３        超音波受信器（検出手段）
３１        位置センサ（超音波発信器）
３２        加速度センサ
４１        検出機能部（決定手段）
４２        マッピング機能部
４３        画面合成機能部（画像表示装置の合成部）
４４        情報受信部（受信手段）
４５        使用判別部
５３        選択リング（選択操作手段）
５５        書込ボタン（指示操作手段）
５６        消去ボタン
Ｉ        スクリーン元画像（準備画像）
ｉ        ポインタ画像（加入画像）
【図１】
2010204706.tif 000003
【図２】
2010204706.tif 000004
【図３】
2010204706.tif 000005
【図４】
2010204706.tif 000006